(57)【要約】【課題】棒状導光体の軸方向から外れた領域にも光を照射可能な車両室内用照明装置を提供する。【解決手段】車両室内用照明装置１０は、光を放射する光源部１１と、光源部１１の放射光が入射される一端面１２ａから軸方向他端側へ光を導光する透明材料から成る棒状導光体１２とを備える。棒状導光体１２は、外周壁面に形成され、棒状導光体１２の軸方向に対して略垂直方向に光を放射する放射区間１２ｅ〜１２ｇと、棒状導光体１２の軸方向他端側に形成され、棒状導光体の軸方向から外れた所定領域へ光を反射する反射面１２ｃとを有する。【選択図】  図１
2014091399.tif 000002
【特許請求の範囲】
【請求項１】
光を放射する光源部と、
前記光源部の放射光が入射される一端面から軸方向他端側へ光を導光する透明材料から成る棒状導光体と
を備えた車両室内用照明装置であって、
前記棒状導光体は、
外周壁面に形成され、前記棒状導光体の軸方向に対して略垂直方向に光を放射する放射区間と、
前記棒状導光体の軸方向他端側に形成され、前記棒状導光体の軸方向から外れた所定領域へ光を反射する反射面と
を有する車両室内用照明装置。
【請求項２】
前記棒状導光体の軸方向他端側に形成され、前記棒状導光体の内部を導光された光を軸方向に向けて放射する他端面を有する、
請求項１に記載の車両室内用照明装置。
【請求項３】
前記放射区間は、前記棒状導光体に形成された切欠部、シボ加工部、塗装部、印刷部から成るグループから選択されたいずれか一つの部材を有する、
請求項１または請求項２に記載の車両室内用照明装置。
【請求項４】
前記放射区間から放射された光は、車両室内のセンターコンソールに設置された操作部または収納部に照射され、
前記棒状導光体の反射面で反射された光は、前記センターコンソールに設置された小物入れの内部に照射される、
請求項１〜３のいずれか一項に記載の車両室内用照明装置。
【請求項５】
前記棒状導光体の軸方向他端側は、前記小物入れの内部の角部分から露出する、
請求項４に記載の車両室内用照明装置。
【発明の詳細な説明】
【技術分野】
【０００１】
本発明は車両室内用照明装置に係り、詳しくは、棒状導光体を用いて車両室内の複数の領域を照明する車両室内用照明装置に関するものである。
【背景技術】
【０００２】
特許文献１には、一端面に入射した光を軸方向他端側へ導く棒状導光体を備え、その棒状導光体は、光を第１放射パターンで軸方向と垂直な方向へ放射して車両室内の第１被照射領域を照射する第１放射区間と、光を第１放射パターンと異なる第２放射パターンで軸方向と垂直な方向へ放射して車両室内の第２被照射領域を照射する第２放射区間と、光を軸方向へ放射して車両室内の第３被照射領域を照射する他端面とを有する車両室内用照明装置が開示されている。
また、特許文献１には、第１放射区間は棒状導光体に形成された切欠を有し、第２放射区間は棒状導光体に形成されたシボ加工部・塗装部・印刷部を有することが開示されている。
【０００３】
特許文献２には、一端面に入射した光を軸方向の他端面へ導く棒状導光体を備え、光を棒状導光体の他端面から放射し、ドア開口部の周辺や路面を照らす車両用ドアの照明装置が開示されている。
【先行技術文献】
【特許文献】
【０００４】
【特許文献１】特開２０１０−８３２１１号公報
【特許文献２】特開２０１２−１５３２１７号公報
【発明の概要】
【発明が解決しようとする課題】
【０００５】
車両室内は複雑な構造であるため、車両室内の照明では光源および棒状導光体の配置上の制約が大きい。
従って、特許文献１および特許文献２の技術のように、光を棒状導光体の軸方向の他端面から放射する場合には、棒状導光体の軸方向（延伸方向）から外れた領域に光を照射するのが困難であるという問題があった。
【０００６】
本発明は前記問題を解決するためになされたものであって、その目的は、棒状導光体の軸方向から外れた領域にも光を照射可能な車両室内用照明装置を提供することにある。
【課題を解決するための手段】
【０００７】
本発明者らは前記課題を解決するために鋭意検討を重ねた結果、下記のように本発明の各局面に想到した。
【０００８】
＜第１の局面＞
第１の局面は、
光を放射する光源部と、
光源部の放射光が入射される一端面から軸方向他端側へ光を導光する透明材料から成る棒状導光体と
を備えた車両室内用照明装置であって、
棒状導光体は、
外周壁面に形成され、棒状導光体の軸方向に対して略垂直方向に光を放射する放射区間と、
棒状導光体の軸方向他端側に形成され、棒状導光体の軸方向から外れた所定領域へ光を反射する反射面とを有する。
【０００９】
第１の局面では、棒状導光体の外周壁面に形成された放射区間から、棒状導光体の軸方向に対して略垂直方向にある領域へ光を照射することができる。
また、第１の局面では、棒状導光体の軸方向他端側に反射面を有するため、棒状導光体の軸方向から外れた所定領域へ光を照射することができる。
【００１０】
＜第２の局面＞
第２の局面は、第１の局面において、棒状導光体の軸方向他端側に形成され、棒状導光体の内部を導光された光を軸方向に向けて放射する他端面を有する。
第２の局面では、棒状導光体の反射面で反射した光に加えて、棒状導光体の他端面から軸方向に光を照射することが可能であるため、棒状導光体の軸方向他端側の広い領域を照明することができる。
【００１１】
＜第３の局面＞
第３の局面は、第１の局面または第２の局面において、棒状導光体の放射区間は、棒状導光体に形成された切欠部、シボ加工部、塗装部、印刷部から成るグループから選択されたいずれか一つの部材を有する。
第３の局面では、棒状導光体の放射区間が有する部材（切欠部、シボ加工部、塗装部、印刷部）に応じた放射パターンで光を放射することにより、光を照射する領域に合わせた最適な照明を得ることができる。
【００１２】
＜第４の局面＞
第４の局面は、第１〜第３の局面において、放射区間から放射された光は、車両室内のセンターコンソールに設置された操作部または収納部に照射され、棒状導光体の反射面で反射された光は、センターコンソールに設置された小物入れの内部に照射される。
第３の局面では、センターコンソールの操作部または収納部に合わせた最適な照明を得ると共に、センターコンソールの小物入れに合わせた最適な照明を得ることができる。
【００１３】
＜第５の局面＞
第５の局面は、第４の局面において、棒状導光体の軸方向他端側は、小物入れの内部の角部分から露出する。
第５の局面では、棒状導光体の軸方向他端側から小物入れの内部へ確実に光を照射することが可能であるため、第４の局面の作用・効果が更に確実に得られる。
【図面の簡単な説明】
【００１４】
【図１】本発明を具体化した第１実施形態の車両室内用照明装置１０の概略構成を示す平面図。
【図２】車両室内用照明装置１０の一部拡大横断面図であり、図４に示すＹ−Ｙ矢示断面図。
【図３】車両室内用照明装置１０の一部拡大横断面図であり、図４に示すＹ−Ｙ矢示断面図。
【図４】図４（Ａ）は、車両室内用照明装置１０の縦断面図であり、図３に示すＸ２−Ｘ２矢示断面図。図４（Ｂ）は、車両室内用照明装置１０の縦断面図であり、図３に示すＸ１−Ｘ１矢示断面図。
【図５】図５（Ａ）は、本発明を具体化した別の実施形態の車両室内用照明装置１００の縦断面図であり、図３に示すＸ２−Ｘ２矢示断面図。図５（Ｂ）は、車両室内用照明装置１０の縦断面図であり、図３に示すＸ１−Ｘ１矢示断面図。
【図６】本発明を具体化した別の実施形態の車両室内用照明装置２００の一部横断面図であり、図７に示すＹ−Ｙ矢示断面図。
【図７】図７（Ａ）は、車両室内用照明装置２００の縦断面図であり、図６に示すＸ２−Ｘ２矢示断面図。図７（Ｂ）は、車両室内用照明装置２００の縦断面図であり、図６に示すＸ１−Ｘ１矢示断面図。
【発明を実施するための形態】
【００１５】
以下、本発明を具体化した各実施形態について図面を参照しながら説明する。尚、各実施形態において、同一の構成部材および構成要素については符号を等しくすると共に、同一内容の箇所については重複説明を省略する。
また、各図面では、説明を分かり易くするために、各実施形態の構成部材の寸法形状および配置箇所を誇張して模式的に図示してあり、各構成部材の寸法形状および配置箇所が実物とは異なっている。
【００１６】
図１〜図４に示すように、一実施形態の車両室内用照明装置１０は、光源部１１、棒状導光体１２（一端面１２ａ、他端面１２ｂ、反射面１２ｃ、放射面１２ｄ、放射区間１２ｅ〜１２ｈ、突出部１２ｉ）、シボ加工部１３、切欠部１４、スリット１５を備え、センターコンソール２０の内部に設置されている。
【００１７】
センターコンソール２０は、自動車の車両室内にて運転席と助手席の間の床面に配設されており、上方が開放された箱状の小物入れ（収納ボックス）２０ａ、シフトレバー２０ｂの位置を表示するシフトパネル２０ｃ、上方が開放された箱状のカップホルダ２０ｄ、上方が開放された箱状の小物入れ２０ｅが、車両室内の前方側から後方側に向けてこの順番で配置形成されている。
【００１８】
光源部１１は、センターコンソール２０の前方側内部に配置されており、センターコンソール２０外からは視認不能である。
棒状導光体１２は、断面矩形長尺物である角棒状の透明材料から成り、一端面１２ａ、他端面１２ｂ、反射面１２ｃ、放射面１２ｄ、放射区間１２ｅ〜１２ｈを備え、センターコンソール２０の長手方向に沿ってセンターコンソール２０の前記構成部材（小物入れ２０ａ、シフトパネル２０ｃ、カップホルダ２０ｄ、小物入れ２０ｅ）の右側方に隣接する位置に配置されており、センターコンソール２０の上方からは視認不能である。
【００１９】
光源部１１は棒状導光体１２の一端面１２ａと対向配置されており、光源部１１から放射された光は、一端面１２ａに入射され、棒状導光体１２内を軸方向他端側へ導光され、放射区間１２ｅ〜１２ｇから外部へ放射された後に、放射区間１２ｈから外部へ放射される。
尚、光源部１１は、どのような光源（例えば、ＬＥＤ、有機ＥＬ、電球など）によって構成してもよい。
【００２０】
放射区間１２ｅ〜１２ｈは互いに離隔している。
放射区間１２ｅ〜１２ｇでは、棒状導光体１２の軸方向に対して略垂直な方向に光が放射され、車両室内の各領域（小物入れ２０ａの内部領域、シフトパネル２０ｃの表示領域、カップホルダ２０ｄの内部領域）に対して別々に光が照射される。
放射区間１２ｈでは、棒状導光体１２内を軸方向に進行する光が、他端面１２ｂから放射されると共に、反射面１２ｃで反射されて放射面１２ｄから放射され、小物入れ２０ｅの内部領域に照射される。
【００２１】
図１および図２に示すように、棒状導光体１２の放射区間１２ｅ，１２ｆはそれぞれ、センターコンソール２０の小物入れ２０ａおよびシフトパネル２０ｃの側方に隣接して配置形成され、放射区間１２ｆはシフトパネル２０ｃの側面に対向して露出している。
【００２２】
放射区間１２ｅにおいて、棒状導光体１２の側壁面と小物入れ２０ａとは離間しており、棒状導光体１２の側壁面には小物入れ２０ａに向けて突出した突出部１２ｉが接続され、突出部１２ｉは小物入れ２０ａの内壁から露出している。
突出部１２ｉは棒状導光体１２に沿った横断面細長形状を成し、突出部１２ｉと棒状導光体１２の側壁面との間にはスリット１５が貫通形成されている。
棒状導光体１２内を導光された光は、突出部１２ｉを通って小物入れ２０ａの内部領域に照射され、小物入れ２０ａ内が照明される。
また、棒状導光体１２内を導光された光はスリット１５によって反射されるため、突出部１２ｉが設けられていても、棒状導光体１２内を直進する光を確保することができる。
【００２３】
放射区間１２ｆは、棒状導光体１２の側壁面に穿設形成された略円錐状の複数個（図示例では３個）の切欠部１４を有する。
切欠部１４は、棒状導光体１２におけるシフトパネル２０ｃの反対側の側壁面にて、棒状導光体１２の軸方向に間隔を空けて配置されており、棒状導光体１２内を軸方向に進行する光をシフトパネル２０ｃ側へ反射する。
【００２４】
切欠部１４は、所定方向に光を反射するため、シボ加工部１３に比べて光を損失させることなく反射可能である。
そのため、放射区間１２ｆにおける光の放射パターンは、放射区間１２ｅに比べて狭い配光特性を有し、シフトパネル２０ｃの表面側の所定箇所（例えば、シフト位置の表示箇所）に光が照射されることから、シフトパネル２０ｃの表示領域が明るく照明される。
尚、切欠部１４の形状を適宜設定することにより、放射区間１２ｆにおける光の放射パターンを変更することができる。
【００２５】
図１および図３に示すように、棒状導光体１２の放射区間１２ｇは、センターコンソール２０のカップホルダ２０ｄの側方に隣接して配置形成され、カップホルダ２９ｄの内壁面から露出している。
放射区間１２ｇは、棒状導光体１２の側壁面に形成されたシボ加工部１３を有する。
【００２６】
シボ加工部１３は、棒状導光体１２における光の放射方向側に形成され、棒状導光体１２内を軸方向に進行する光を散乱させて、棒状導光体１２の外周壁から放射するため、広範囲に光を照射することができる。
そのため、放射区間１２ｇにおける光の放射パターンは広い配光特性を有し、カップホルダ２０ｄの内部領域に広く光が照射されることから、カップホルダ２０ｄ内が隅々まで明るく照明される。
【００２７】
尚、シボ加工部１３では、棒状導光体１２の外周面の法線方向へ放射される光の割合が増えることから、棒状導光体１２におけるカップホルダ２０ｄ側の側壁面にシボ加工部１３を形成するのが好ましい。
但し、シボ加工部１３は拡散反射の機能も有していることから、棒状導光体１２におけるカップホルダ２０ｄの反対側の側壁面にシボ加工部１３を形成しても、カップホルダ２０ｄ側へ光を放射することが可能である。
【００２８】
図１，図３，図４に示すように、棒状導光体１２の放射区間１２ｈは、センターコンソール２０の小物入れ２０ｅの右前方角部分近傍に配置形成され、小物入れ２０ｅの右前方角部分から内部に向けて突出している。
棒状導光体１２の放射区間１２ｈは、他端面１２ｂ、反射面１２ｃ、放射面１２ｄを備える。
【００２９】
棒状導光体１２の他端面１２ｂは、棒状導光体１２の軸方向他端側（光源部１１の放射光の入射面である一端面１２ａの反対側）に形成された端面であり、棒状導光体１２内を導光された光を軸方向（矢印α方向）に向けて放射する。
棒状導光体１２の反射面１２ｃは、棒状導光体１２の軸方向他端側にて、棒状導光体１２における小物入れ２０ｅの反対側の側壁面（右側壁面）に配置形成され、小物入れ２０ｅに向けて傾斜すると共に他端面１２ｂに接続された傾斜面から成り、棒状導光体１２内を軸方向に進行する光を小物入れ２０ｅ内の方向（矢印β方向）へ反射する。
そのため、棒状導光体１２は、一端面１２ａから軸方向他端側に向かうにつれて、断面積が小さくなっている。
棒状導光体１２の放射面１２ｄは、棒状導光体１２における小物入れ２０ｅ側の外周壁面であり、反射面１２ｃで反射された光を透過して放射する。
【００３０】
そのため、放射区間１２ｈにおいて、棒状導光体１２の他端面１２ｂから軸方向（矢印α方向）に放射された光は、小物入れ２０ｅの内部後方領域に照射される。
また、棒状導光体１２の反射面１２ｃで反射されて放射面１２ｄから放射された光は、反射面１２ｃの傾斜角に対応した方向（矢印β方向）に進行し、小物入れ２０ｅにおける放射区間１２ｈが配置形成された右前方角部分と対向する領域（棒状導光体１２の軸方向から外れた領域）に照射される。
その結果、小物入れ２０ｅの内部領域に広く光が照射されることから、小物入れ２０ｅ内が隅々まで明るく照明される。
【００３１】
［実施形態の作用・効果］
本実施形態の車両室内用照明装置１０によれば、以下の作用・効果を得ることができる。
【００３２】
［１］棒状導光体１２の外周壁面に形成された放射区間１２ｅ〜１２ｇから、棒状導光体１２の軸方向に対して略垂直方向にある所定領域（小物入れ２０ａの内部領域、シフトパネル２０ｃの表示領域、カップホルダ２０ｄの内部領域）へ光を照射することができる。
また、棒状導光体１２の軸方向他端側に反射面１２ｃを有するため、棒状導光体１２の軸方向から外れた所定領域（小物入れ２０ｅの内部領域）へ光を照射することができる。
【００３３】
［２］棒状導光体１２の反射面１２ｃで反射した光に加えて、棒状導光体１２の他端面１２ｂから軸方向に光を照射することが可能であるため、棒状導光体１２の軸方向他端側の広い領域を照明することができる。
【００３４】
［３］棒状導光体１２の放射区間１２ｅ〜１２ｇが有する部材（シボ加工部１３、切欠部１４）に応じた放射パターンで光を放射することにより、光を照射する領域（小物入れ２０ａの内部領域、シフトパネル２０ｃの表示領域、カップホルダ２０ｄの内部領域）に合わせた最適な照明を得ることができる。
【００３５】
［４］棒状導光体１２の放射区間１２ｅ〜１２ｇから放射された光は、センターコンソール２０に設置された操作部（シフトパネル２０ｃ）または収納部（小物入れ２０ａ、カップホルダ２０ｄ）に照射され、棒状導光体１２の反射面１２ｃで反射された光は、センターコンソール２０に設置された小物入れ２０ｅの内部に照射される。
そのため、センターコンソール２０の操作部または収納部に合わせた最適な照明を得ると共に、小物入れ２０ｅに合わせた最適な照明を得ることができる。
【００３６】
［５］棒状導光体１２の軸方向他端側は、小物入れ２０ｅの内部の角部分から露出するため、棒状導光体１２の軸方法他端側から小物入れ２０ｅの内部へ確実に光を照射することができる。
【００３７】
＜別の実施形態＞
本発明は前記実施形態に限定されるものではなく、以下のように具体化してもよく、その場合でも、前記実施形態と同等もしくはそれ以上の作用・効果を得ることができる。
【００３８】
［Ａ］図５に示すように、別の実施形態の車両室内用照明装置１００では、棒状導光体１２の反射面１２ｃを、棒状導光体１２における小物入れ２０ｅの反対側の上方角部分（右上方角部分）に配置形成し、棒状導光体１２内を軸方向に進行する光を小物入れ２０ｅの左方底部角部分に向けた方向（矢印β’方向）へ反射させる。
【００３９】
この場合、棒状導光体１２の反射面１２ｃは、小物入れ２０ｅに向けて斜め下方に傾斜する傾斜面から成り、その傾斜面は、棒状導光体１２における小物入れ２０ｅの反対側の側壁面と、棒状導光体１２の上壁面と、棒状導光体１２の他端面１２ｂとに接続されている。
尚、棒状導光体１２は、前記実施形態と同様に、一端面１２ａから軸方向他端側に向かうにつれて、断面積が小さくなっている。
そのため、図４に示す前記実施形態に比べて、小物入れ２０ｅの左方底部の領域に広く光が照射されることから、小物入れ２０ｅ内を更に明るく照明することができる。
【００４０】
［Ｂ］図６および図７に示すように、別の実施形態の車両室内用照明装置２００では、棒状導光体１２から他端面１２ｂを省き、棒状導光体１２の放射面１２ｄを小物入れ２０ｅの内壁面と面一にして、放射区間１２ｈを小物入れ２０ｅ内に突出させない。
この場合には、小物入れ２０ｅの内壁面から棒状導光体１２が出っ張らないため、小物入れ２０ｅに物品を出し入れする際に、物品が棒状導光体１２に引っ掛かることが無くなり、小物入れ２０ｅが使い易くなる。
【００４１】
［Ｃ］前記実施形態では、断面矩形の棒状導光体１２を用いたが、棒状導光体１２の断面形状はどのような形状（例えば、断面円形、断面三角形、断面五角形以上の多角形など）にしてもよい。
また、前記実施形態におけるシボ加工部１３に代えて、棒状導光体１２に反射性の塗装部または印刷部などを設けたり、反射性の金属を蒸着させてもよい。
【００４２】
尚、反射性の塗装部または印刷部は、例えば、白色にすることで高い反射性を実現できる。また、反射性の塗装部または印刷部は、シボ加工部１３と同様に光を拡散反射するため、切欠部１４と比べて光の消費量が大きい。
また、前記実施形態では、略円錐状の切欠部１４を用いたが、切欠部１４はどのような形状（例えば、三角錐状、溝状など）にしてもよい。
【００４３】
［Ｄ］前記実施形態の車両室内用照明装置１０はセンターコンソール２０に設置されるものであるが、本発明の車両室内用照明装置は、自動車のどのような場所（例えば、ドアトリム、インストルメントパネル、ルーフ側トリム、トランクルームのトリムなど）に設置してもよく、具体的な細部構造等については設置場所に応じて適宜変更してもよい。
【００４４】
［Ｅ］前記各実施形態を適宜組み合わせて実施してもよく、その場合には組み合わせた実施形態の作用・効果を合わせもたせたり、相乗効果を得ることができる。
【００４５】
本発明は、前記各局面および前記各実施形態の説明に何ら限定されるものではない。特許請求の範囲の記載を逸脱せず、当業者が容易に想到できる範囲で種々の変形態様も本発明に含まれる。本明細書の中で明示した論文、公開特許公報、特許公報などの内容は、その全ての内容を援用によって引用することとする。
【符号の説明】
【００４６】
１０，１００，２００…車両室内用照明装置
１１…光源部
１２…棒状導光体
１２ａ…一端面
１２ｂ…他端面
１２ｃ…反射面
１２ｄ…放射面
１２ｅ〜１２ｈ…放射区間
１３…シボ加工部（塗装部、印刷部）
１４…切欠部
２０…センターコンソール
２０ａ…小物入れ（収納部）
２０ｃ…シフトパネル（操作部）
２０ｄ…カップホルダ（収納部）
２０ｅ…小物入れ
【図１】
2014091399.tif 000003
【図２】
2014091399.tif 000004
【図３】
2014091399.tif 000005
【図４】
2014091399.tif 000006
【図５】
2014091399.tif 000007
【図６】
2014091399.tif 000008
【図７】
2014091399.tif 000009